(57)【要約】      （修正有）【課題】帯状部材に液処理を連続して施し、且つ設置面積を可及的に少なくできる液処理装置を提供する。【解決手段】ケーシング１６の底部に形成された供給口１８から供給されて液処理剤で液処理が施されたフープ材１４を取出口２０から取り出す液処理装置１０であって、ケーシング１６内にはスプレーノズル２２，２２と、供給口１８から供給されたフープ材１４が通過できるように、供給口１８上に立設されている筒状部材２４と、筒状部材２４とスプレーノズル２２，２２との間に設置され、フープ材１４を挟み込む一対のローラ２８，２８とが設けられ、一対のローラ２８，２８の表面が、フープ材１４を伝って落下する液処理剤を除去できるようにスポンジ状部材３０で形成され、且つスポンジ状部材３０に吸液された液処理剤を絞り取る絞りローラ３２が、絞り取られた液処理剤が筒状部材２４内に入り込むことのない位置に設けられていることを特徴とする。【選択図】図１
2007307487.tif 000002
【特許請求の範囲】
【請求項１】
ケーシングの底部と前記底部に対応するケーシングの上部とに供給口と取出口が形成され、前記供給口からケーシング内に供給されて液処理剤で液処理が施された帯状部材を前記取出口から取り出す液処理装置であって、
前記ケーシング内には、前記供給口と取出口との間に位置し、前記液処理剤を帯状部材に付与する液処理剤付与手段と、前記供給口から供給された帯状部材が通過できるように、前記ケーシングの底部に形成された供給口又は取出口上に立設されている筒状部材と、前記筒状部材と液処理剤付与手段との間に設置され、前記帯状部材を挟み込む一対のローラとが設けられ、
前記一対のローラの帯状部材に接触する接触面が、前記帯状部材を伝って落下する液処理剤を除去できるように吸液性材料で形成され、
且つ前記一対のローラの吸液性材料に吸液された液処理剤を絞り取る絞り部材が、絞り取られた液処理剤が筒状部材内に入り込むことのない位置に設けられていることを特徴とする液処理装置。
【請求項２】
吸液部材が、スポンジ状部材である請求項１記載の液処理装置。
【請求項３】
絞り部材が、絞りローラである請求項１又は請求項２記載の液処理装置。
【請求項４】
液処理付与手段が、スプレーノズルである請求項１〜３のいずれか一項記載の液処理装置。
【請求項５】
ケーシングの底部に帯状部材の供給口が形成されていると共に、前記底部に対応するケーシングの上部に帯状部材の取出口が形成されており、
前記取出口近傍に帯状部材を挟み込む一対のローラが設けられ、前記一対のローラの帯状部材に接触する接触面が、液処理剤付与手段によって帯状部材に付着された液処理剤を除去できるように吸液性材料で形成されている請求項１〜４のいずれか一項記載の液処理装置。
【請求項６】
帯状部材が、フープ材である請求項１〜５のいずれか一項記載の液処理装置。
【発明の詳細な説明】
【技術分野】
【０００１】
本発明は液処置装置に関し、更に詳細にはケーシングの底部と前記底部に対応するケーシングの上部とに供給口と取出口が形成され、前記供給口からケーシング内に供給されて液処理剤で液処理が施された帯状部材を前記取出口から取り出す液処理装置に関する。
【背景技術】
【０００２】
リードフレーム等のフープ状の長尺状部材や短冊状部材の帯状部材には、プレス加工等の各種加工に引き続いてめっきや水洗等の液処理が施される。かかる各種加工と液処理とを連続して帯状部材に施すには、下記特許文献１に示されている様に、各種処理部が直列的に接続された液処理装置で行われることが多い。
この特許文献１に記載されている液処理装置の一例として洗浄処理装置を図４に示す。図４に示す洗浄処理装置は、他の処理装置で各種処理が施された短冊状のプリント配線基板１００に、水洗・乾燥・冷却の洗浄処理を施す装置である。かかる洗浄処理理装置では、短冊状のプリント配線基板１００を、二つの水洗部を通過させて２回の水洗を施した後、水切り部でプリント配線基板１００にエアブローを施して水切りし、次いで乾燥部でヒータによってプリント配線基板１００を加熱して乾燥し、乾燥部で加熱されたプリント配線基板１００を冷却部で冷却を施す。
尚、水洗部、乾燥部及び冷却部においては、一対のローラ１０２，１０２によってプリント配線基板１００を把持して処理を施した後、プリント配線基板１００を次の処理に送り出している。
【特許文献１】特開２００１−３４５５４４
【発明の開示】
【発明が解決しようとする課題】
【０００３】
図４に示す洗浄処理装置では、短冊状のプリント配線基板１００に水洗等の洗浄処理を連続して施すことができる。
しかし、図４に示す洗浄処理装置では、水洗部、水切り部、乾燥部及び冷却部が横方向に設置さている。このため、洗浄処理装置全体では、その設置面積が広大となる。
そこで、本発明の課題は、帯状部材に液処理を連続して施すことができ、且つ設置面積を可及的に少なくできる液処理装置を提供することにある。
【課題を解決するための手段】
【０００４】
本発明者は、前記課題を解決するには、図５に示す液処理装置２００が有効ではないかと考えて検討した。図５に示す液処理装置２００では、他の処理装置１１０から送り出された帯状部材１２０を、ケーシング２０２の底部に形成した供給口２０４からケーシング２０２内に供給し、一対のノズル２０６，２０６から帯状部材１２０に液処理剤を散布して液処理を施した後、ケーシング２０２の上部に形成した取出口から取り出す。
一対のノズル２０６，２０６から散布された液処理剤のうち、帯状部材１２０に付着しなかった液処理剤は、ケーシング２０２の底部に形成した抜出口２１０から抜き出す。
しかしながら、図５に示す液処理装置２００では、ケーシング２０２の底部に形成した供給口２０４から液処理剤が漏れ出すことが判明した。
このため、本発明者は、ケーシング２０２の底部に形成した供給口２０４からの液処理剤の漏出を防止するには、供給口２０４上に帯状部材１２０が通過する筒状部材を立設することが有効であることを見出し、本発明に到達した。
【０００５】
すなわち、本発明は、ケーシングの底部と前記底部に対応するケーシングの上部とに供給口と取出口が形成され、前記供給口からケーシング内に供給されて液処理剤で液処理が施された帯状部材を前記取出口から取り出す液処理装置であって、前記ケーシング内には、前記供給口と取出口との間に位置し、前記液処理剤を帯状部材に付与する液処理剤付与手段と、前記供給口から供給された帯状部材が通過できるように、前記ケーシングの底部に形成された供給口又は取出口上に立設されている筒状部材と、前記筒状部材と液処理剤付与手段との間に設置され、前記帯状部材を挟み込む一対のローラとが設けられ、前記一対のローラの帯状部材に接触する接触面が、前記帯状部材を伝って落下する液処理剤を除去できるように吸液性材料で形成され、且つ前記一対のローラの吸液性材料に吸液された液処理剤を絞り取る絞り部材が、絞り取られた液処理剤が筒状部材内に入り込むことのない位置に設けられていることを特徴とする液処理装置にある。
かかる本発明において、吸液部材としては、スポンジ状部材を好適に用いることができ、液処理付与手段としては、スプレーノズルを好適に用いることができる。
更に、絞り部材としては、絞りローラを用いることによって、コンパクトな構造とすることができる。
また、ケーシングの底部に帯状部材の供給口を形成すると共に、前記底部に対応するケーシングの上部に帯状部材の取出口を形成し、前記取出口近傍に帯状部材を挟み込む一対のローラを設け、前記一対のローラの帯状部材に接触する接触面を、液処理剤付与手段によって帯状部材に付着した液処理剤を除去できるように吸液性材料で形成することによって、取出口から取り出される帯状部材に付着する液処理剤量を可及的に少なくできる。
尚、帯状部材としては、フープ材を好適に用いることができる。
【発明の効果】
【０００６】
本発明に係る液処理装置では、上下方向に帯状部材を通過させて液処理を施す。このため、帯状部材を装置の左右方向に帯状部材を通過させて液処理を施す従来の液処理装置に比較して、本発明に係る液処理装置の設置面積を小さくできる。
また、液処理装置のケーシングの底部に設けた供給口又は取出口からの液処理剤の漏出は、ケーシングの底部に形成した供給口又は取出口上に立設した筒状部材と、この筒状部材と液処理剤付与手段との間に設置した、帯状部材を挟み込む一対のローラとによって防止できる。
しかも、一対のローラの帯状部材に接触する接触面を吸液性材料で形成し、且つこの一対のローラの吸液性材料に吸液された液処理剤を絞り取る絞り部材を、絞り取られた液処理剤が筒状部材内に入り込むことのない位置に設けることによって、帯状部材に伝って落下する液処理剤を除去している。
この様に、本発明に係る液処理装置では、上下方向に帯状部材を通過させて液処理を施しつつ、ケーシングの底部に形成した取出口又は供給口から漏出する液処理剤及び帯状部材を伝って落下する液処理剤の漏出を防止することができ、液処理装置の設置面積を小さくできる。その結果、本発明に係る液処理装置を、他の処理装置の上方又は下方に設置でき、処理装置全体の設置効率の向上を図ることができる。
【発明を実施するための最良の形態】
【０００７】
本発明に係る液処理装置の一例を図１に示す。図１に示す液処理装置１０は、他の処理装置１２から送り出されたリードフレーム等のフープ状の帯状部材１４（以下、単にフープ材１４と称することがある）に水洗を施す水洗処理装置（以下、水洗処理装置１０と称することがある）である。
かかる水洗処理装置１０では、他の処理装置１２から送り出されたフープ材１４を、ケーシング１６内に供給する供給口１８をケーシング１６の底部に形成しており、フープ材１４を取り出す取出口２０を、供給口１８も対応するケーシング１６の上部に形成している。
かかるケーシング１６内には、供給口１８と取出口２０との間に、液処理剤として洗浄水をフープ材１４に噴霧する液処理剤付与手段としての一対のスプレーノズル２２，２２が設けられている。この一対のスプレーノズル２２，２２は、走行するフープ材１４の両面に洗浄水を噴霧できるように配設されている。
更に、ケーシング１６の底部に形成された供給口１８上には、供給口１８から供給されたフープ材１４が通過できるように筒状部材２４が立設されている。この筒状部材２４が供給口１８上に立設されていることによって、ケーシング１６の底面に溜まった洗浄水が供給口１８から漏出することを防止できる。
尚、ケーシング１６の底面に溜まった洗浄水は、ケーシング１６の底部に形成された排出孔２６から排出される。
【０００８】
この筒状部材２４と一対のスプレーノズル２２，２２との間には、フープ材１４を送り方向（矢印Ａ方向）に挟み込んで回転する一対のローラ２８，２８が配設されている。
かかる一対のローラ２８，２８は、その外周層が吸液性材料としてのスポンジ状部材３０から成り、一対のローラ２８，２８のフープ材１４と接触する接触面は、スポンジ状部材３０によって形成されている。
更に、一対のローラ２８，２８の各々には、スポンジ状部材３０に吸液された洗浄水を絞り取る絞り部材としての絞りローラ３２が配設されている。この絞りローラ３２，３２は、絞り取られた洗浄水が筒状部材２４内に入り込むことのない位置、例えば筒状部材２４から離れた位置に設けられている。
この様に、フープ材１４と接触する表面がスポンジ状部材３０に形成された一対のローラ２８，２８と接触し、スポンジ状部材３０に吸水された洗浄水を絞り出す絞りローラ３２，３２を設けることによって、フープ材１４を伝って落下する洗浄水を除去できる。
尚、ケーシング１６の底部には、ケーシング１６内に溜まった洗浄水を排出する排出口が形成されている。
【０００９】
図１に示す水洗処理装置１０では、他の処理装置１２から送り出されたリードフレーム等のフープ材１４は、ケーシング１６の底部に形成された供給口１８及び筒状部材２４を通過してケーシング１６内に供給される。
ケーシング１６内に供給されたフープ材１４は、送り方向（矢印Ａ方向）に回転する一対のローラ２８，２８に挟み込まれる。この一対のローラ２８，２８は、フープ材１４よりも幅広に形成されている。
かかる一対のローラ２８，２８によって一対のスプレーノズル２２，２２の方向に送られたフープ材１４は、一対のスプレーノズル２２，２２の間を通過しつつ、その両面に一対のスプレーノズル２２，２２から洗浄水が散布されて洗浄が施される。
この様に洗浄水が散布されて洗浄が施されたフープ材１４は、取出口２０から取り出される。
【００１０】
また、一対のスプレーノズル２２，２２から散布されてフープ材１４に付着した洗浄水はフープ材１４に伝わって落下する。この洗浄水は、一対のローラ２８，２８のフープ材１４と接触する接触面を形成するスポンジ状部材３０によって吸液され、フープ材１４を伝わって供給口１８からケーシング１６の外部に漏出することを防止できる。
一対のローラ２８，２８のフープ材１４と接触する接触面を形成するスポンジ状部材３０に吸液された洗浄水は、スポンジ状部材３０と接触する絞りローラ３２，３２によって絞られ、筒状部材２４内に入り込むことなくケーシング１６の底部に溜まる。この様に、一対のローラ２８，２８のスポンジ状部材３０に吸液された洗浄水が絞られるため、再度、フープ材１４に付着する洗浄水を吸液できる。
この絞りローラ３２，３２は、一対のローラ２８，２８と同一長さのローラを採用してもよく、一対のローラ２８，２８よりも短いローラを採用し、一対のローラ２８，２８の各端部に設けてもよい。
ここで、絞りローラ３２，３２を設置しない場合には、一対のローラ２８，２８の各々を形成するスポンジ状部材３０，３０に吸液された洗浄水は、一対のローラ２８，２８にフープ材１４が挟み込まれたとき、フープ材１４に再付着され、フープ材１４を伝わって供給口１８から漏出する。
絞りローラ３２，３２によって絞られた洗浄水は、ケーシング１６の底部に溜まる。かかるケーシング１６の底部には、一対のスプレーノズル２２，２２から散布されてフープ材１４に付着しなかった洗浄水も溜まり、排出孔２６から排出される。
尚、ケーシング１６の底部に溜まる洗浄水は、供給口１８上に筒状部材２４が立設されているため、供給口１８から漏出することを防止できる。
【００１１】
図１に示す水洗処理装置１０は、供給口１８から洗浄水が漏出することがなく、図１に示す様に、他の処理装置１２の上方に設けることができる。このため、フープ材１４の各処理装置を上下方向に配設でき、フープ材１４の各処理装置の設置面積を可及的に小さくできる。
図１に示す液処理装置１０では、液処理剤として洗浄水を用いるため、取出口２０から取り出すフープ材１４に洗浄水が付着して取り出されても問題はない。
しかし、液処理装置１０を、エッチング処理装置等として用いた場合には、取出口２０から取り出されるフープ材１４に付着するエッチング液等の液処理剤の付着量を可及的に少なくしたい。
この場合には、図２に示す液処理装置の様に、取出口２０の近傍にフープ材１４を挟み込む一対のローラ３４，３４を設置することによって、取出口２０から取り出されるフープ材１４に付着する液処理剤の付着量を可及的に少なくできる。
図２に示す液処理装置では、図１に示す液処理装置を構成する同一部材については、図１と同一番号を付して詳細な説明は省略する。
図２に示す液処理装置の一対のローラ３４，３４は、その外周層が吸液性材料としてのスポンジ状部材３６によって形成されており、一対のローラ３４，３４のフープ材１４と接触する接触面は、スポンジ状部材３４によって形成されている。
【００１２】
かかる一対のローラ３４，３４には、一対のローラ２８，２８の様に、絞りローラ３２，３２を設けることは要しない。
図２に示す一対のローラ３４，３４のスポンジ状部材３６，３６に吸液された液処理剤は、一対のローラ３４，３４にフープ材１４が挟み込まれたときに絞り取られ、一対のローラ３４，３４よりも下方のフープ材１４に再付着される。しかし、一対のローラ３４，３４よりも下方は、一対のスプレーノズル２２，２２による液処理剤の散布領域でもあるため問題ない。
従って、図２に示す液処理装置として、例えばエッチング処理装置に用い、エッチング処理装置から取り出されたフープ材１４を、図１に示す液処理装置としての水洗処理装置をエッチング処理装置の上方に設けることができる。
この様に、エッチング処理装置と水洗処理装置とを上下方向に設けることができ、一連の液処理装置の設置面積を小さくできる。
【００１３】
また、図１及び図２に示す液処理装置１０では、一対のローラ２８，２８と絞りローラ３２，３２との接触位置が、開口部が開口されている筒状部材２４の先端よりも下方に位置するように、一対のローラ２８，２８と絞りローラ３２，３２とを配設している。
この点、図３（ａ）に示す様に、一対のローラ２８，２８と絞りローラ３２，３２との接触位置が、開口部が開口されている筒状部材２４の先端よりも上方に位置するように、一対のローラ２８，２８と絞りローラ３２，３２とを配設してもよい。
図３（ａ）に示す液処理装置１０では、図３（ｂ）に示す様に、フープ材１４よりも幅広の一対のローラ２８，２８の両端部に、一対のローラ２８，２８よりも短い絞りローラ３２、３２を配設することが好ましい。ローラ２８の両端部に絞りローラ３２，３２を配設することによって、一対のローラ２８，２８のスポンジ状部材３０から絞り取った洗浄水が筒状部材２４の開口部から入り込むことを確実に防止できるからである。
この様に、ローラ２８の両端部に配設した絞りローラ３２、３２によって、ローラ２８の両端部のスポンジ状部材３０に含有されている洗浄水を絞り取ると、ローラ２８の他の部分から洗浄水が拡散し、ローラ２８の全体としては洗浄水の含有量を可及的に少なくできる。
尚、図３に示す液処理装置では、図１に示す液処理装置を構成する同一部材については、図１と同一番号を付して詳細な説明は省略する。
【００１４】
以上、説明してきた液処理装置１０では、液処理装置１０を構成するケーシング１６の底部に形成した供給口１８から上方に形成した取出口２０の方向にフープ材１４を走行させていたが、ケーシング１６の上方に形成した供給口から下方に形成した取出口の方向にフープ材１４を走行させてもよい。
また、フープ材１４に代えて、短冊状の帯状部材を用いてもよい。更に、一対のスプレーノズル２２，２２に代えて、フープ材１４の一面側のみに液処理剤を散布する様に、一本のスプレーノズル２２のみを設けてもよい。
更に、一対の絞りローラ３２，３２に代えて突起物を用い、スポンジ状部材３０に吸液されている液処理剤を絞ることができるように、突起物の先端をスポンジ状部材３０と接触させてもよい。
【図面の簡単な説明】
【００１５】
【図１】本発明に係る液処理装置の一例を説明する断面図である。
【図２】本発明に係る液処理装置の他の例を説明する断面図である。
【図３】本発明に係る液処理装置の他の例を説明する断面図である。
【図４】従来の液処理装置を説明するための概略図である。
【図５】従来の液処理装置の改良例を説明するための断面図である。
【符号の説明】
【００１６】
１０  液処理装置（水洗処理装置）
１２  他の処理装置
１４  帯状部材（フープ材）
１６  ケーシング
１８  供給口
２０  取出口
２２  スプレーノズル
２４  筒状部材
２８，３４  ローラ
３０  絞りローラ
３４，３６  スポンジ状部材
【図１】
2007307487.tif 000003
【図２】
2007307487.tif 000004
【図３】
2007307487.tif 000005
【図４】
2007307487.tif 000006
【図５】
2007307487.tif 000007